(57)【特許請求の範囲】
【請求項１】
シートの斜行を補正する斜行補正部を有するシート搬送装置において、
前記斜行補正部は、
第１回転体及びシート搬送方向と直交する幅方向に間隔を設けて配された複数の第２回転体を有する回転体対と、
前記複数の第２回転体の間に回動自在に設けられると共に、シート搬送方向と逆方向に付勢され、かつ前記回転体対のニップ部のシート搬送方向上流で前記回転体対に向かうシートに当接して斜行を補正し、斜行が補正されたシートにより押圧されて付勢力に抗しながら回動してシートを前記回転体対のニップ部に進入させるシャッタ部材と、を備え、
前記シャッタ部材には、シートが当接するまでは前記回転体対のニップ部よりもシート搬送方向上流に位置して前記回転体対に向かうシートと当接する当接部と、前記当接部よりもシャッタ部材回動方向上流に位置し、シートが前記当接部を押圧して前記シャッタ部材を回動させながら前記回転体対のニップ部に達すると、シートが前記当接部から離れるようにシートを押圧する押圧部と、を備え、
前記押圧部は、前記第２回転体の軸線方向から見た場合において、先端が前記第２回転体よりも外方に突出する突出位置と、前記突出位置よりも前記シャッタ部材の内側の退避位置とに移動可能である
ことを特徴とするシート搬送装置。
【請求項２】
前記押圧部を、シートが前記回転体対のニップ部に達するまではシートと当接しないように設けたことを特徴とする請求項１記載のシート搬送装置。
【請求項３】
前記押圧部と前記シャッタ部材との間に、前記押圧部を突出方向に付勢する付勢部材を設けたことを特徴とする請求項２記載のシート搬送装置。
【請求項４】
前記シャッタ部材を、前記第２回転体と同軸上に回動自在に設けたことを特徴とする請求項１乃至３の何れか１項に記載のシート搬送装置。
【請求項５】
シートに画像を形成する画像形成部と、前記画像形成部にシートを斜行を補正して搬送する請求項１乃至４の何れか１項に記載のシート搬送装置と、を備えたことを特徴とする画像形成装置。
【発明の詳細な説明】
【技術分野】
【０００１】
本発明は、シート搬送装置及び画像形成装置に関し、特にシートの斜行を補正する斜行補正部の構成に関する。
【背景技術】
【０００２】
従来、複写機、プリンタ、ファクシミリ等の画像形成装置においては、画像形成部と、搬送ローラにより画像形成部にシートを搬送するシート搬送装置を備えている。ところで、従来の画像形成装置においては、搬送ローラが変形したり、搬送ローラのアライメントがずれている等の理由により、シートを搬送する際、シートが斜行する場合がある。ここで、画像形成装置において、画像形成部に対するシートの位置により、シートに対する画像形成位置精度が大きく左右されるため、画像形成部に対するシートの位置を精度よく合わせることが重要な画像品質要素となっている。
【０００３】
そこで、従来の画像形成装置においては、シート搬送装置に斜行補正部を設け、この斜行補正部によってシートの斜行を補正することにより、画像形成位置精度の向上を図っている。このような斜行補正部としては、例えば、ばね等によりシート搬送方向と逆方向に付勢されたシャッタを備え、このシャッタにシートの先端を当接させるようにしたものがある（特許文献１）。そして、このようなシャッタ方式の斜行補正部では、シートの先端を、シート搬送方向に対し垂直に位置するシャッタ部材の当接部に突き当てて、シート先端を当接部に倣わせることにより、シートの斜行を補正する。
【０００４】
図８は、このような従来のシャッタ方式を用いた斜行補正部を示す図である。図８に示すように、斜行補正部は、シート搬送方向と直交する幅方向に複数配置されると共に、レジストコロ軸５３を中心に回動可能なシャッタ部材５１を備えている。なお、図８において、５４は幅方向に複数設けられたレジストローラ、５２はレジストローラ軸、５５は幅方向に複数設けられ、レジストローラ５４と接離可能に圧接するレジストコロ、５３はレジストコロ軸である。そして、シャッタ部材５１は、レジストコロ５５の間に設けられると共に、レジストコロ軸５３を中心に回動可能となっている。また、シャッタ部材５１は、連結部材５６により連結され、一体的に回動するように構成されている。
【０００５】
ここで、シャッタ部材５１はシートと当接する当接部５１ａを備えており、シートＰが搬送されるまでは、図９の（ａ）に示すように、当接部５１ａがレジストローラ対５４，５５のニップ部よりもシート搬送方向上流側に位置するホームポジションにある。なお、シャッタ部材５１が、ホームポジションにあるとき、シャッタ部材５１は、シャッタ部材５１及び連結部材５６の自重と付勢ばね５７により、搬送されたシートＰを係止させ得るシート搬送方向逆向きの付勢力Ｆを有している。
【０００６】
そして、中間搬送ローラ対３，４によってシートＰが搬送されると、このシートＰの先端がシャッタ部材５１の当接部５１ａに当接する。ここで、先端が当接部５１ａに当接した当初、シートＰは、付勢ばね５７等によってシャッタ部材５１に付与された付勢力Ｆにより一時的に係止される。そして、このように係止されることにより、この後、さらに中間搬送ローラ対３，４により搬送されると、やがてシートＰは、搬送路を構成する中間ガイド１４，１５に囲まれたスペースＶ内で湾曲し、ループを形成する。
【０００７】
ここで、このようにループを形成すると、シート自身のコシの強さによりシート先端がシート幅方向全域でシャッタ部材５１の当接部５１ａに当接し、やがてシート先端がシャッタ部材５１に対して平行に揃うようになり、シートＰの斜行が補正される。そして、このように斜行が補正された後、シャッタ部材５１に当接したシートＰの搬送力Ｆｐがシャッタ部材５１の付勢力Ｆよりも大きくなると、シャッタ部材５１と連結部材５６はシート搬送路から退避する方向に回動する。これにより、シートＰは、斜行が補正された状態でレジストローラ対５４，５５のニップ部へ到達する。
【０００８】
この後、レジストローラ対５４，５５により、シートＰが搬送されると、シャッタ部材５１は、図９の（ｂ）に示すように、シート搬送路から退避してシートを通過させる退避位置へと回動する。これにより、シートＰは、シャッタ部材５１により搬送が妨げられることなく、転写上ガイド１６と転写下ガイド１７で形成される搬送経路を通り、下流の画像形成部へと搬送される。
【先行技術文献】
【特許文献】
【０００９】
【特許文献１】特開平９−１８３５３９号公報
【発明の概要】
【発明が解決しようとする課題】
【００１０】
ところで、近年、ユーザの環境への意識の高まりを受けて、画像形成装置において、従来よりも坪量の小さい薄紙等の薄いシートが使用されてきているが、このような薄いシートは、シートのコシが弱い。このため、シート搬送装置及びこれを備えた画像形成装置において、従来のシャッタ方式を用いた斜行補正部により薄いシートの斜行を補正する場合、シートのコシが弱いため、通紙時にシート先端がシャッタ部材の当接部に追従して撓む場合がある。
【００１１】
図１０は、シャッタ方式を用いた斜行補正部により薄いシートの斜行を補正するときの状態を示す図である。ここで、従来の斜行補正部において、先端がレジストローラ対５４，５５のニップ部を抜けた後の理想的なシートＰの搬送経路はレジストローラ対５４，５５のニップ線５８となる。
【００１２】
しかし、コシの弱い薄いシートＰの場合、既述したように先端がシート搬送路から退避されるシャッタ部材５１の当接部５１ａから離れずに追従してしまうことがある。この結果、シートＰ先端が、理想の搬送経路５８ではなく、理想の搬送経路５８よりもシャッタ部材５１の退避方向側に屈曲した搬送経路５９をたどるようになり、シート先端が撓むことになる。なお、この現象は坪量の小さいシートほど顕著に発生しやすい。
【００１３】
ここで、このようにシート先端が撓んだ場合、この状態のままシートが搬送されると、シャッタ部材５１が退避位置へと回動する前後で、当接部５１ａからシートＰ先端が外れ、この際、シートＰ先端から紙はね音等の騒音が発生する場合がある。また、シャッタ部材５１が退避位置まで回動してもシート先端が当接部５１ａから外れない場合があり、この場合、シートＰ先端がシャッタ部材５１の退避方向に極度に変形し、シート先端にコバ傷が付いたり、シートの角折れが生じてしまう場合もある。
【００１４】
そこで、本発明は、このような現状に鑑みてなされたものであり、斜行補正部を通過する際の騒音及びシート先端の変形を低減することのできるシート搬送装置及び画像形成装置を提供することを目的とするものである。
【課題を解決するための手段】
【００１５】
本発明は、シートの斜行を補正する斜行補正部を有するシート搬送装置において、前記斜行補正部は、第１回転体及びシート搬送方向と直交する幅方向に間隔を設けて配された複数の第２回転体を有する回転体対と、前記複数の第２回転体の間に回動自在に設けられると共に、シート搬送方向と逆方向に付勢され、かつ前記回転体対のニップ部のシート搬送方向上流で前記回転体対に向かうシートに当接して斜行を補正し、斜行が補正されたシートにより押圧されて付勢力に抗しながら回動してシートを前記回転体対のニップ部に進入させるシャッタ部材と、を備え、前記シャッタ部材には、シートが当接するまでは前記回転体対のニップ部よりもシート搬送方向上流に位置して前記回転体対に向かうシートと当接する当接部と、前記当接部よりもシャッタ部材回動方向上流に位置し、シートが前記当接部を押圧して前記シャッタ部材を回動させながら前記回転体対のニップ部に達すると、シートが前記当接部から離れるようにシートを押圧する押圧部と、を備え、前記押圧部は、前記第２回転体の軸線方向から見た場合において、先端が前記第２回転体よりも外方に突出する突出位置と、前記突出位置よりも前記シャッタ部材の内側の退避位置とに移動可能であることを特徴とするものである。
【発明の効果】
【００１６】
本発明のように、シートがシャッタ部材を回動させながら回転体対のニップ部に達すると、シートが当接部から離れるように押圧部によってシートを押圧することにより、斜行補正部を通過する際の騒音及びシート先端の変形を低減することができる。
【図面の簡単な説明】
【００１７】
【図１】参考例に係るシート搬送装置を備えた画像形成装置の一例としてのレーザビームプリンタの概略構成を示す図。
【図２】上記シート搬送装置に設けられた斜行補正部の構成を説明する図。
【図３】上記斜行補正部の構成を説明する図。
【図４】上記斜行補正部の効果を示す説明図である。
【図５】本発明の第１の実施の形態に係るシート搬送装置に設けられた斜行補正部の構成を示す図。
【図６】上記斜行補正部の斜行補正時の動作を説明する図。
【図７】本発明の第２の実施の形態に係るシート搬送装置に設けられた斜行補正部の構成を示す図。
【図８】従来の斜行補正部置の斜視図である。
【図９】従来のシートレジスト装置の動作を示す断面図である。
【図１０】従来のシートレジスト装置における課題を示す断面図である。
【発明を実施するための形態】
【００１８】
以下、本発明の実施の形態について図面を用いて詳細に説明する。図１は、参考例に係るシート搬送装置を備えた画像形成装置の一例としてのレーザビームプリンタの概略構成を示す図である。
【００１９】
図１において、１００はレーザビームプリンタ本体（以下、プリンタ本体という）である。このプリンタ本体１００には、画像形成部１０１、シートＰを給送するシート給送装置１０２、シート給送装置１０２から給送されたシートを画像形成部１０１に搬送するシート搬送装置１０３が設けられている。
【００２０】
ここで、画像形成部１０１は、像担持体としての感光体ドラム６を有するカートリッジユニット５と、感光体ドラム６を露光するレーザスキャナ８を備えている。そして、画像形成の際には、レーザスキャナ８により感光体ドラム６を露光して感光ドラム表面に潜像を形成し、この後、この潜像を現像することにより、感光ドラム表面にトナー画像を形成するようにしている。
【００２１】
シート給送装置１０２は、プリンタ本体１００に着脱可能に設けられたシート積載部である給紙カセット１と、この給紙カセット１の上方に設けられ、給紙カセット１に収納されたシートＰを送り出す給送ローラ２とを備えている。また、シート搬送装置１０３は、中間搬送ローラ３及び中間搬送コロ４、斜行補正部１０４等を備えている。なお、図１において、１３は、各部品を駆動、制御するための電源及び電気部品を有する電装基板である。
【００２２】
次に、このように構成されたレーザビームプリンタにおける画像形成動作について説明する。画像形成動作が開始されると、まず給紙カセット１に積載収納されているシートＰが、給送ローラ２により送り出される。この後、シートＰは、中間搬送ローラ３及び中間搬送コロ４により、斜行補正部１０４に搬送されて斜行が補正された後、感光体ドラム６と転写ローラ７からなる転写部へと搬送される。
【００２３】
なお、斜行補正部１０４から転写部までの搬送経路には不図示のシート検知部が設けられている。そして、このシート検知部によりシートＰの先端が検知されると、この先端検知から所定時間後に、感光体ドラム６に対し、レーザスキャナ８から画像情報に基づいてレーザ光が発光され、感光体ドラム６上に静電潜像が形成される。この後、この静電潜像は、現像されてトナー画像として可視化され、この感光体ドラム上に形成されたトナー像は、転写部にて転写ローラ７によりシートＰ上の所定位置に転写される。
【００２４】
次に、このようにトナー画像が転写されたシートＰは、定着ローラ９及び加圧ローラ１０を備えた定着器１０５に搬送され、定着器１０５において加熱及び加圧されることにより、トナー像が定着される。そして、このようにして画像が定着された後、シートＰは、排紙ローラ対１１，１２によりプリンタ本体上面に設けられた排出部１０６に排出される。
【００２５】
図２は、本参考例に係る斜行補正部１０４の構成を示す図である。図２において、５４はシート搬送方向と直交する幅方向に複数設けられた第１回転体であるレジストローラ、５５は幅方向に間隔を設けて複数配され、レジストローラ５４と接離可能に圧接する第２回転体であるレジストコロである。また、５２はレジストローラ軸、５３はレジストコロ軸、２１はレジストコロ５５の間に設けられた複数のシャッタ部材であり、このシャッタ部材２１は、レジストコロ軸５３にレジストコロ５５と同軸上に回動自在に支持されている。
【００２６】
ここで、このようにシャッタ部材２１を複数設けることにより、各種シート幅を有するシートに対応することができる。また、このシャッタ部材２１は、連結部材２２によって連結されており、これにより複数のシャッタ部材２１は、レジストコロ軸５３に対して同軸上で一体的に回動するようになっている。
【００２７】
また、各シャッタ部材２１は、シートと当接する当接部２１ａを有しており、シートが搬送されるまでは、この当接部２１ａをレジストローラ５４とレジストコロ５５とにより構成される回転体対のニップ部の搬送方向上流側に位置させている。なお、本参考例では、シャッタ部材２１をレジストコロ軸５３に対して同軸上に配置する構成としたが、別の構成として、レジストローラ軸５２に対して同軸上に配置する構成としてもよい。
【００２８】
ところで、シャッタ部材２１は、シートと当接するまでは、図３の（ａ）に示すように、当接部２１ａをレジストローラ５４とレジストコロ５５のニップ部の搬送方向上流側に位置させるホームポジションに位置している。また、このようなホームポジションに位置しているとき、シャッタ部材２１には、シャッタ部材２１及び連結部材２２の自重と図２に示すばね部材５７により、シート搬送方向と逆方向の付勢力Ｆが作用している。このため、シャッタ部材２１がホームポジションに位置しているとき、つまり当接部２１ａがレジストローラ５４とレジストコロ５５のニップ部の搬送方向上流側に位置する第１の姿勢にあるとき、シートと当接してもシートＰを係止し得るようになっている。
【００２９】
また、図３の（ｂ）に示すように、シートが搬送されて当接部２１ａと当接すると、当接部２１ａには、シートＰの搬送力Ｆｐが作用し、この後、シートＰがさらに搬送されると、やがてシートＰは、ループを形成する。ここで、このようにループを形成すると、シート自身のコシの強さによりシート先端がシート幅方向全域でシャッタ部材２１の当接部２１ａに当接し、やがてシート先端がシャッタ部材２１に対して平行に揃うようになり、シートＰの斜行が補正される。
【００３０】
次に、このように斜行が補正された後、シャッタ部材２１に当接したシートＰの搬送力Ｆｐが付勢力Ｆを上回るようになると、シャッタ部材２１はシートＰにより押圧されて図中矢印Ｇ方向に回動を開始する。そして、この後、シャッタ部材２１は当接部２１ａがレジストローラ対５４，５５のニップ部を通過し、シートＰを通過し得る第２の姿勢となる退避位置まで移動する。
【００３１】
ところで、シートが薄いシートの場合、既述したようにシートの斜行を補正する場合、シートのコシが弱いため、通紙時に先端がシャッタ部材の当接部に追従して撓む場合がある。そこで、本参考例において、シャッタ部材２１の当接部２１ａのシャッタ部材回動方向上流側近傍に、突出部２１ｂを設けている。そして、シャッタ部材２１を回動させながらレジストローラ対５４，５５のニップ部に達したシートを、この突出部２１ｂにより当接部２１ａから離れる方向に押圧するようにしている。なお、このシートを当接部２１ａから離れる方向に押圧する押圧部である突出部２１ｂは、レジストコロ５５よりも外方に突出させて設けられている。
【００３２】
そして、このような位置に突出部２１ｂを設けることにより、シャッタ部材２１を回動させながらシート先端がレジストローラ対５４，５５のニップ部を通過した際、突出部２１ｂの先端が、シートＰを上方から押圧するようになる。これにより、当接部２１ａに当接することによりシャッタ部材２１を回動させながら、レジストローラ対５４，５５のニップ部に達したシートを、当接部２１ａから離れる方向に移動させることができる。この結果、当接部２１ａに追従してシート先端が撓むのを規制することができる。
【００３３】
次に、図３を用いて本参考例において、黒丸で示す突出部２１ｂのうちシートを規制する先端部２１ｃの位置がどの範囲に設けられるかをシャッタ部材２１の動作と共に説明する。
【００３４】
シャッタ部材２１が第１の姿勢（ホームポジション）にあるとき、図３の（ａ）に示すように、突出部２１ｂの先端部２１ｃは、隣接するレジストコロ５５の外形よりも半径方向外側で、かつシート搬送路を挟んでレジストコロ５５側の範囲に位置している。なお、図３の（ｂ）に示すように、当接部２１ａにシートＰが当接し、ホームポジションから当接部２１ａがレジストローラ対５４，５５のニップ部を通過するまでは、突出部２１ｂの先端部２１ｃはシート搬送路を挟んでレジストコロ５５側に位置している。さらに、図３の（ｃ）に示すように、当接部２１ａがレジストローラ対５４，５５のニップ部を通過後一定の範囲回動するまで、突出部２１ｂの先端部２１ｃは、シート搬送路を挟んでレジストローラ５４側に入り込むような位置に設けられる。
【００３５】
このように、本参考例において、突出部２１ｂは、シート先端がレジストローラ対５４，５５にニップされるまでは、シート搬送路とは離れた場所に位置しており、シートに対して干渉しないようになっている。また、シート先端がレジストローラ対５４，５５のニップ部を通過し、シートがレジストローラ対５４，５５にニップされた状態になって初めてシート搬送路へと突出部２１ｂの先端部２１ｃが進入してくるような位置に、シャッタ部材２１に対して形成されている。
【００３６】
これにより、シート先端がレジストローラ対５４，５５にニップされる前に、つまりシート先端がフリーな状態のとき、シートＰは突出部２１ｂから力を受けずに済む。この結果、斜行補正されたシートに余計な力を与えてしまうことや、シートが突出部２１ｂに押されシャッタ部材２１の付近で局所的に波打ったような状態でレジストローラ対５４，５５にニップされてしまうことを回避できる。
【００３７】
ここで、このような構成のシャッタ部材２１を備えた斜行補正部１０４においては、シートがレジストローラ対５４，５５にニップされるまでに通常のレジシャッタの動作と同様に斜行補正が行われる。次に、斜行補正が行われたシートＰは、シャッタ部材２１を回動させながら搬送され、やがて先端がレジストローラ対５４，５５にニップされる。
【００３８】
そして、ニップ部を通過する際に、シート搬送路を挟んでレジストコロ側からレジストローラ側に進入してきた突出部２１ｂによって上方から押圧されることにより、シート先端が当接部２１ａに追従してシャッタ部材２１の退避方向に撓む挙動が規制される。これにより、シート先端のはね音やコバ折れの発生を低減できる。
【００３９】
次に、シートの撓みをより効果的に防止するための突出部２１ｂのレジストコロ５５に対する突出量及び当接部２１ａからの距離について図４を用いて説明する。なお、図４の（ａ）において、Ｑはシャッタ部材２１の当接部２１ａのシャッタ部材回転方向上流側近傍に貼り付けられた実験用部材であり、この実験用部材Ｑには突出部ｑがレジストコロ５５よりも外側に突出して設けられている。
【００４０】
本実験において、黒丸で示す実験用部材Ｑの突出部ｑの先端ｑａのレジストコロ５５から水平方向の距離（突出量）をｘ、シャッタ部材２１の回動中心から鉛直方向の距離をｙとして定義する。また、本実験では、シャッタ部材２１の当接部２１ａに傷が付いているものを用いて、当接部２１ａの傷に紙先端が引っ掛かかり回動方向へ撓んだシートが、実験用部材Ｑの突出部ｑによって引っ掛かりが剥がされるかどうかで突出部ｑの効果を検証した。図４の（ｂ）はｘを１．４ｍｍの位置に固定してｙを変えたときの結果、図４の（ｃ）はｙを４ｍｍの位置に固定してｘを変えたときの結果を示している。
【００４１】
そして、図４の（ｂ）及び（ｃ）の結果に示される通り、シャッタ部材２１に実験用部材Ｑを貼り付けることにより、明らかにレジストローラ対のニップ部を抜けた後のシート先端の引っ掛かり回数は少なくなっており、その効果が確認できる。さらに、図４の（ｂ）からは、ｙが大きい程、つまり突出部ｑの先端ｑａの位置がシャッタ部材２１中の当接部２１ａに近いほど効果があることが分かる。
【００４２】
この結果とは別に、目視で確認した際、ｙが大きいほどシートの引っ掛かりが外れるタイミングが早くなっており、シート先端がシャッタ部材２１に追従して撓む量は少なくなっていることも確認できた。同様に、図４の（ｃ）から、ｘが大きい程、つまり突出部ｑの先端ｑａのレジストコロ５５からの突出量が大きいほど効果があることもわかる。このことから、突出部２１ｂの位置は、シート先端がレジストローラ対５４，５５にニップされるまで搬送路内に入らない範囲の中で、できるだけ当接部２１ａに近く、かつレジストコロ５５からの突出量が大きくなるような位置に設けることが望ましい。
【００４３】
以上説明したように、本参考例では、シャッタ部材２１を回動させながらレジストローラ対５４，５５のニップ部に達したシートを、突出部２１ｂにより当接部２１ａから離れる方向に押圧するようにしている。つまり、シートが、当接部２１ａを押圧してシャッタ部材２１を回動させながらレジストローラ対５４，５５のニップ部に達すると、シートが当接部２１ａから離れるように、シートを突出部２１ｂによって押圧するようにしている。これにより、レジストローラ対５４，５５のニップ部を抜けたシート先端が当接部２１ａに追従してシャッタ部材２１の退避方向に撓む挙動が規制されるようになる。この結果、シートが斜行補正部１０４を通過する際の騒音及びシート先端の変形を低減することができる。
【００４４】
さらに、本参考例では、シート先端がレジストローラ対５４，５５のニップ部に達してから突出部２１ｂによってシートを押圧するようにしている。つまり、シートがレジストローラ対５４，５５にニップ部に達するまではシートと当接しないようにしている。これにより、フリーな状態のときシートが突出部２１ｂによって押圧されることがないようにすることができ、この結果、安定した姿勢でシート先端をレジストローラ対５４，５５のニップ部に向かわせることができる。
【００４５】
ところで、これまでは突出部２１ｂをシャッタ部材２１に一体的に形成する場合について述べてきたが、突出部２１ｂをシャッタ部材２１に対して別体に設けるようにしても良い。次に、このような突出部をシャッタ部材に対して別体に設けるようにした本発明の第１の実施の形態について説明する。図５は、本実施の形態に係るシート搬送装置に設けられた斜行補正部１０４の構成を示す図である。なお、図５において、既述した図２と同一符号は、同一又は相当部分を示している。
【００４６】
図５において、３１はシャッタ部材、３３はシャッタ部材３１を回動させながらレジストローラ対５４，５５のニップ部に達したシートを当接部から離れる方向に押圧する押圧部を構成する突出部材である。そして、この突出部材３３は、シャッタ部材３１に、矢印Ｊ及びＪ’で示すシャッタ部材３１の回動半径方向に出没可能に設けられている。
【００４７】
ここで、図中黒丸部で示す突出部材３３の突出部先端３３ａは、シートがレジストローラ対５４，５５にニップされるまでは図６の（ａ）及び（ｂ）に示すように、レジストコロ５５より外側かつシート搬送路を挟んでレジストコロ５５側に配置されている。
【００４８】
そして、シート先端がレジストローラ対５４，５５にニップされ、突出部材３３がシート搬送路に進入してくる際、図６の（ｃ）に示すように、突出部材３３はシート搬送路上にあるシートＰによってレジストコロ５５の回転中心側（矢印Ｊ方向）に移動される。この時、シート先端に対しては、突出部材３３の自重によりレジストローラ５４側に力が作用する。この突出部材３３の自重による力により、シート先端が当接部３１ａに追従することによる撓みが防止される。また、突出部材３３はシート搬送路からレジストコロ５５側に退避されるので、シート先端の撓みが防止された後も突出部材３３によって余分な力を受けて変形されることなくシートの搬送が可能となる。シートがシャッタ部材３１を通過した後は、突出部材３３は自重によってレジストコロ５５より外側に戻り、次シートの搬送に備える。
【００４９】
次に、本発明の第２の実施の形態について説明する。図７は、本実施の形態に係るシート搬送装置に設けられた斜行補正部１０４の構成を示す図である。なお、図７において、既述した図５と同一符号は、同一又は相当部分を示している。
【００５０】
図７において、４１はシャッタ部材であり、このシャッタ部材４１には、突出部材４３が矢印Ｊ及びＪ’で示すシャッタ部材４１の回動半径方向に出没可能に設けられている。なお、本実施の形態において、シャッタ部材４１と突出部材４３との間には付勢部材である付勢ばね４４が設けられており、この付勢ばね４４により、通常、突出部材４３は、突出方向に付勢され、シャッタ部材４１の回転半径方向外側に突出している。
【００５１】
そして、このように突出部材４３をシャッタ部材４１の回転半径方向外側に突出させることにより、シート先端がレジストローラ対５４，５５にニップされた直後、突出部材４３の自重に加えて、付勢手段４４の付勢力がシート先端に作用する。このため、より確実にシート先端が当接部４１ａに追従して撓むことを防止できる。
【００５２】
なお、本実施の形態においても、既述した第１の実施の形態と同様、突出部材４３は搬送路上にあるシートによってレジストコロ５５の回転中心方向に移動しシート搬送路からは退避されるため、シートに対して余分な力を加えることなく変形が防止される。
【００５３】
なお、これまではシャッタ部材２１は画像形成部よりシート搬送方向上流側のレジストローラ対５４，５５に配置される構成のものを説明したが、本発明は、これに限らない。例えば、両面印字機能を有する画像形成装置における両面搬送ローラ対に配置される構成においても同様に適用できる。また、これまでは第１回転体としてシート搬送方向と直交する幅方向に間隔を設けて配された複数のレジストローラ５４を用いたが、レジストローラ５４として幅方向に長い一つのローラを用いても良い。
【符号の説明】
【００５４】
２１…シャッタ部材、２１ａ…当接部、２１ｂ…突出部、２１ｃ…先端部、３１…シャッタ部材、３３…突出部材、３３ａ…突出部先端、４１…シャッタ部材、４３…突出部材、４４…付勢ばね、５３…レジストコロ軸、５４…レジストローラ、５５…レジストコロ、５７…ばね部材、１００…レーザビームプリンタ本体、１０１…画像形成部、１０３…シート搬送装置、１０４…斜行補正部、Ｐ…シート
【図１】
0005858742.tif 000002
【図２】
0005858742.tif 000003
【図３】
0005858742.tif 000004
【図４】
0005858742.tif 000005
【図５】
0005858742.tif 000006
【図６】
0005858742.tif 000007
【図７】
0005858742.tif 000008
【図８】
0005858742.tif 000009
【図９】
0005858742.tif 000010
【図１０】
0005858742.tif 000011